(57)【要約】【課題】計測対象領域に存在する干渉物の数量が多い場合でも、走行車と干渉物との干渉を極力回避することが可能な走行車制御システムを提供する。【解決手段】計測対象領域を複数の区分領域に区分して管理し、かつ、区分領域における干渉物の存在個数である領域内干渉物個数を、複数の区分領域の夫々について各別に管理し、走行制御部が、領域内干渉物個数が設定上限個数Ｔｍａｘを超過している混雑状態であるか否かを複数の区分領域の夫々について各別に判別し、走行車を混雑状態であると判別した区分領域において走行させる場合には走行モードとして混雑領域用走行モードを設定するように構成されている。【選択図】図９
2014211810.tif 000002
【特許請求の範囲】
【請求項１】
計測対象領域内を走行移動自在な走行車と、前記走行車の走行を制御する走行制御部と、前記計測対象領域内での前記走行車の位置及び前記計測対象領域内における複数の干渉物の位置を計測する位置計測部と、が設けられ、
前記走行制御部が、前記位置計測部によって計測された前記計測対象領域における前記走行車及び複数の前記干渉物の位置情報に基づいて、前記走行車の走行を制御するように構成された走行車制御システムであって、
前記位置計測部は、前記計測対象領域を複数の区分領域に区分して管理するように構成され、かつ、前記区分領域における前記干渉物の存在個数である領域内干渉物個数を、前記複数の区分領域の夫々について各別に管理するように構成され、
前記走行制御部は、複数の走行モードのいずれかの走行モードにより前記走行車の走行を制御するように構成され、かつ、前記位置計測部の計測情報に基づいて、前記領域内干渉物個数が設定上限個数を超過している混雑状態であるか否かを前記複数の区分領域の夫々について各別に判別し、前記走行車を前記混雑状態であると判別した前記区分領域において走行させる場合には前記走行モードとして混雑領域用走行モードを設定するように構成されている走行車制御システム。
【請求項２】
前記走行制御部が、前記走行車を前記混雑状態でないと判別した前記区分領域において走行させる場合には、前記走行モードとして通常走行モードを設定するように構成されている請求項１に記載の走行車制御システム。
【請求項３】
前記走行制御部が、前記混雑状態でないと判別しかつ前記混雑状態であると判別した前記区分領域との間で設定条件を満たしたと判別した前記区分領域において前記走行車を走行させる場合には、前記走行モードとして混雑領域用走行モードを設定するように構成されている請求項１に記載の走行車制御システム。
【請求項４】
前記走行制御部が、前記混雑領域用走行モードとして、前記走行車の上限走行速度を、前記通常走行モードにおける上限走行速度よりも遅い混雑用上限走行速度に設定するように構成されている請求項１〜３の何れか１項に記載の走行車制御システム。
【請求項５】
前記走行制御部が、前記混雑領域用走行モードとして、当該混雑状態であると判別した前記区分領域への前記走行車の進入を規制するように構成されている請求項１〜３の何れか１項に記載の走行車制御システム。
【請求項６】
前記位置計測部が、位置計測用の無線信号である測位用無線信号を出力自在でかつ前記走行車及び複数の前記干渉物の夫々に装備された無線タグ、同時に１つの前記無線タグからの前記測位用無線信号のみを受信可能な形態で前記計測対象領域に存在する複数の前記無線タグからの前記測位用無線信号を受信自在に構成された受信部、及び、前記受信部の受信情報に基づいて１つの前記無線タグの位置を算出するために設定処理時間を要する形態で前記無線タグの前記計測対象領域における位置を算出する位置算出部を備えて、前記走行車及び前記干渉物の前記計測対象領域における位置を計測する位置計測処理を処理時間ごとに繰り返し実行することで、前記走行車及び複数の前記干渉物の夫々の位置を前記処理時間ごとに計測するように構成されている請求項１〜５の何れか１項に記載の走行車制御システム。
【請求項７】
前記干渉物が、前記計測対象領域内を移動する移動体である請求項１〜６の何れか１項に記載の走行車制御システム。
【請求項８】
前記受信部が、複数の無線受信装置にて構成され、
前記区分領域が、複数の前記無線受信装置の受信対応領域として設定される区分受信領域として設定され、
前記位置算出部は、前記区分受信領域ごとに、前記干渉物の前記区分受信領域ごとにおける前記走行車及び前記干渉物の位置を算出するように構成されている請求項７に記載の走行車制御システム。
【発明の詳細な説明】
【技術分野】
【０００１】
本発明は、計測対象領域内を走行移動自在な走行車と、前記走行車の走行を制御する走行制御部と、前記計測対象領域内での前記走行車の位置及び前記計測対象領域内における複数の干渉物の位置を計測する位置計測部と、が設けられ、前記走行制御部が、前記位置計測部によって計測された前記計測対象領域における前記走行車及び複数の前記干渉物の位置情報に基づいて、前記走行車の走行を制御するように構成された走行車制御システムに関する。
【背景技術】
【０００２】
従来、計測対象領域内を走行移動自在な走行車及び計測対象領域内を移動可能な干渉物の位置を位置計測部にて検出し、位置計測部の検出情報に基づいて、干渉物との干渉を避けるべく走行車の走行を制御する走行車制御システムがあった（例えば、特許文献１参照）。
特許文献１の走行車制御システムは、位置計測部として、走行車に備えられたレーザー距離計と計測対象領域の所定位置に複数設けられた反射板とを備え、レーザー距離計にて計測した複数の反射板夫々との距離に基づいて計測対象領域における走行車の位置を算出するとともに、さらに、位置計測部として走行車の正面に備えられた干渉物センサを備え、走行車への干渉物の接近を検知して、走行車と干渉物との距離が所定距離以下になると走行車の走行上限速度を遅い速度に設定する等の制御を行うようになっている。
【０００３】
また、位置計測部の他の例として、例えば、計測対象領域を撮像するカメラを備え、カメラの撮像画像より走行車及び複数の干渉物の位置を計測する方式や、計測対象領域における走行車及び複数の干渉物の夫々に無線タグを装備し、その無線タグの位置を無線式位置計測部で計測する方式がある。
【先行技術文献】
【特許文献】
【０００４】
【特許文献１】特開２００５−０６７８７０号公報
【発明の概要】
【発明が解決しようとする課題】
【０００５】
しかしながら、これらの位置計測部は、複数の干渉物の数が多くなると、それら複数の干渉物すべての位置を計測するための処理に要する時間が長くなる傾向があるため、一つの干渉物に注目すると、前回の位置計測が行われてから次の位置計測が行われるまでの時間（計測サイクル時間）が長くなる虞がある。干渉物が作業者や搬送される物品等である場合には、位置計測が行われてから次の位置計測が行われるまで当該干渉物が移動する可能性があるので、計測された位置が実際の干渉物の位置からずれた位置となってしまうことが考えられる。その為、上記のように計測サイクル時間が長くなると、計測結果と実際の位置とのずれが大きくなる虞があり、走行車及び干渉物の位置を適切に管理できない虞があった。そして、このような状態で走行車を走行させると、予期しない位置に走行車又は干渉物が存在する可能性があり、走行車と干渉物との干渉を適切に回避できない虞があった。
【０００６】
本発明は、上記実情に鑑みてなされたものであり、その目的は、計測対象領域に存在する干渉物の数量が多い場合でも、走行車と干渉物との干渉を極力回避することが可能な走行車制御システムを提供することにある。
【課題を解決するための手段】
【０００７】
本発明に係る走行車制御システムの第１特徴構成は、計測対象領域内を走行移動自在な走行車と、前記走行車の走行を制御する走行制御部と、前記計測対象領域内での前記走行車の位置及び前記計測対象領域内における複数の干渉物の位置を計測する位置計測部と、が設けられ、前記走行制御部が、前記位置計測部によって計測された前記計測対象領域における前記走行車及び複数の前記干渉物の位置情報に基づいて、前記走行車の走行を制御するように構成された走行車制御システムであって、
前記位置計測部は、前記計測対象領域を複数の区分領域に区分して管理するように構成され、かつ、前記区分領域における前記干渉物の存在個数である領域内干渉物個数を、前記複数の区分領域の夫々について各別に管理するように構成され、前記走行制御部は、複数の走行モードのいずれかの走行モードにより前記走行車の走行を制御するように構成され、かつ、前記位置計測部の計測情報に基づいて、前記領域内干渉物個数が設定上限個数を超過している混雑状態であるか否かを前記複数の区分領域の夫々について各別に判別し、前記走行車を前記混雑状態であると判別した前記区分領域において走行させる場合には前記走行モードとして混雑領域用走行モードを設定するように構成されている点にある。
【０００８】
すなわち、走行制御部は、位置計測部の計測情報に基づいて、複数の区分領域の夫々の領域内干渉物個数が設定上限個数であるか否かを判別して、区分領域ごとの混雑常態を把握できる。そして、領域内干渉物個数が多いために混雑状態であると判別された区分領域については、走行モードとして混雑領域用走行モードを設定するので、混雑状態にある区分領域における走行車の走行モードを混雑状態にふさわしい走行モードに切り換えて混雑状態にある区分領域での走行車と干渉物の干渉を適切に回避することができる。
したがって、計測対象領域に存在する干渉物の数量が多い場合でも、走行車と干渉物との干渉を適切に回避することが可能な走行車制御システムを提供できるものとなる。
【０００９】
本発明に係る走行車制御システムの第２特徴構成は、上記第１特徴構成に加えて、前記走行制御部が、前記走行車を前記混雑状態でないと判別した前記区分領域において走行させる場合には、前記走行モードとして通常走行モードを設定するように構成されている点にある。
【００１０】
すなわち、混雑状態でないと判別された区分領域については、走行モードとして通常走行モードを設定するので、混雑状態でないために走行車と干渉物とが干渉する可能性が低い区分領域については、走行車を通常通り走行させることができる。
したがって、複数の区分領域夫々が混雑状態にあるか否かによって、適切な走行モードを設定することが可能な走行車制御システムを提供できる。
【００１１】
本発明に係る走行車制御システムの第３特徴構成は、上記第１特徴構成に加えて、前記走行制御部が、前記混雑状態でないと判別しかつ前記混雑状態であると判別した前記区分領域との間で設定条件を満たしたと判別した前記区分領域において前記走行車を走行させる場合には、前記走行モードとして混雑領域用走行モードを設定するように構成されている点にある。
【００１２】
すなわち、混雑状態である区分領域では、走行車を混雑領域用走行モードで走行させるのであるが、混雑状態であると判別した区分領域との間で設定条件を満たしたと判別した区分領域でも、混雑状態でないものの、走行車の走行モードを混雑状態にふさわしい走行モードに切り換えることになる。設定条件として、例えば、混雑状態の区分領域に隣接するという条件を設定すれば、混雑状態ではないものの、混雑状態である区分領域から干渉物が移動してくる等の事象によって混雑状態に遷移する虞のある区分領域についても混雑状態にふさわしい走行モードで走行させることができる。このように、干渉物の数量が多い計測対象領域が存在する場合に、走行車と干渉物との干渉をより適切に回避することが可能な走行車制御システムを提供できる。
【００１３】
本発明に係る走行車制御システムの第４特徴構成は、上記第１〜第３の何れかの特徴構成に加えて、前記走行制御部が、前記混雑領域用走行モードとして、前記走行車の上限走行速度を、前記通常走行モードにおける上限走行速度よりも遅い混雑用上限走行速度に設定するように構成されている点にある。
【００１４】
すなわち、混雑状態が発生している区分領域を走行車が走行する場合、走行車の予定走行経路上に干渉物が存在する確率が高い。このため、走行車を混雑状態が発生している区分領域で走行させると、混雑状態が発生していない区分領域で走行させる場合に比べて、走行車と干渉物とが干渉する可能性が高くなる。本特徴構成によれば、混雑状態が発生している区分領域においては走行車の上限走行速度を通常走行モードにおける上限走行速度よりも遅い混雑用上限走行速度とするから、混雑状態が発生している区分領域での走行車と干渉物の干渉を適切に回避することができる。
【００１５】
本発明に係る走行車制御システムの第５特徴構成は、上記第１〜第３の何れかの特徴構成に加えて、記走行制御部が、前記混雑領域用走行モードとして、当該混雑状態であると判別した前記区分領域への前記走行車の進入を規制するように構成されている点にある。
【００１６】
すなわち混雑状態が発生している区分領域を走行車が走行する場合、走行車の予定走行経路上に干渉物が存在する確率が高い。このため、走行車を混雑状態が発生している区分領域で走行させると、混雑状態が発生していない区分領域で走行させる場合に比べて、走行車と干渉物とが干渉する可能性が高くなる。本特徴構成によれば、混雑状態が発生している区分領域に対しては走行車の進入を規制することにより、走行車と干渉物とが干渉するような事態を極力回避することができる。
【００１７】
本発明に係る走行車制御システムの第６特徴構成は、上記第１〜第５のいずれかの特徴構成に加えて、前記位置計測部が、位置計測用の無線信号である測位用無線信号を出力自在でかつ前記走行車及び複数の前記干渉物の夫々に装備された無線タグ、同時に１つの前記無線タグからの前記測位用無線信号のみを受信可能な形態で前記計測対象領域に存在する複数の前記無線タグからの前記測位用無線信号を受信自在に構成された受信部、及び、前記受信部の受信情報に基づいて１つの前記無線タグの位置を算出するために設定処理時間を要する形態で前記無線タグの前記計測対象領域における位置を算出する位置算出部を備えて、前記走行車及び前記干渉物の前記計測対象領域における位置を計測する位置計測処理を処理時間ごとに繰り返し実行することで、前記走行車及び複数の前記干渉物の夫々の位置を前記処理時間ごとに計測するように構成されている点にある。
【００１８】
すなわち、走行車及び複数の干渉物の夫々に装備された無線タグからの測位用無線信号に基づいて走行車及び複数の干渉物の夫々の位置を計測する構成とする場合、計測対象領域に存在する複数の無線タグからの測位用無線信号を受信する受信部は、同時に１つの無線タグからの測位用無線信号のみを受信可能に構成されるものであり、無線タグの計測対象領域における位置を算出する位置算出部は、受信部の受信情報に基づいて１つの無線タグの位置を算出するために設定処理時間を要するものであるから、無線タグの数量が多いほど、計測対象領域に存在する複数の無線タグすべての位置を計測するのに要する時間が長くなる。
【００１９】
そして、位置計測部は、位置計測処理を処理時間ごとに繰り返し実行することで、各無線タグの最新の位置情報を更新して管理するのであるが、計測対象領域に存在する複数の無線タグすべての位置を計測するのに要する時間が長くなるほど、管理している無線タグの位置情報と実際の無線タグの位置との間にずれが生じる可能性が大きくなる。
このような位置計測部において、混雑常態が発生すると、管理している無線タグの位置情報と実際の無線タグの位置との間にずれが存在するために、走行車の位置と干渉物の位置とを適切に管理できなくなり、走行車と干渉物とが干渉する事態を適切に回避できない虞がある。そこで、上記のように無線式の位置計測部を備える場合において、上記第１〜第３特徴構成のような走行車制御システムを用いることによって、混雑常態となった区分領域においても、走行車と干渉物との干渉を適切に回避することが可能となる。
【００２０】
本発明に係る走行車制御システムの第７特徴構成は、上記第１〜第６のいずれかの特徴構成に加えて、前記干渉物が、前記計測対象領域内を移動する移動体である点にある。
【００２１】
すなわち、干渉物が計測対象領域内を移動する移動体である場合、複数の移動体全ての位置計測を行うために要する計測サイクル時間が長くなると、管理している無線タグの位置情報と実際の無線タグの位置との間にずれが生じる虞があり、走行車の位置と干渉物の位置とを適切に管理できない虞がある。
本特徴構成によれば、干渉物の移動によって管理している無線タグの位置情報と実際の無線タグの位置との間にずれが生じた場合であっても、走行車が混雑状態であると判別した区分領域を走行しようとする場合には、走行モードとして混雑領域用走行モードを設定するから、走行車と移動体との干渉を適切に回避することが可能となる。
【００２２】
本発明に係る走行車制御システムの第８特徴構成は、上記第７特徴構成に加えて、前記受信部が、複数の無線受信装置にて構成され、前記区分領域が、複数の前記無線受信装置の受信対象領域として設定される区分受信領域であり、前記位置算出部は、前記区分受信領域ごとに、前記干渉物の前記区分受信領域ごとにおける前記走行車及び前記干渉物の位置を算出するように構成されている点にある。
【００２３】
すなわち、区分領域が複数の無線受信装置の受信対象領域として設定された区分受信領域であるから、無線タグからの測位用無線信号を複数の無線受信装置にて受信対象領域ごとに受信し、その測位用無線信号に基づいて、区分受信領域ごとの無線タグの個数を適切に算出することができる。
【図面の簡単な説明】
【００２４】
【図１】第１実施形態における走行車制御システムを備えた物品搬送設備の平面図
【図２】物品搬送設備の制御ブロック図
【図３】物品搬送台車の斜視図
【図４】物品搬送台車の目標走行速度の変化を示すタイムチャート
【図５】物品搬送台車の目標走行速度を設定変更する範囲を示す図
【図６】物品搬送台車の目標走行速度の変化を示すタイムチャート（高速、低負荷）
【図７】物品搬送台車の目標走行速度の変化を示すタイムチャート（低速、高負荷）
【図８】物品搬送台車の目標走行速度の変化を示すタイムチャート（高速、低負荷）
【図９】第１実施形態における無線タグ混雑時における走行制御モードの設定を表すフローチャート
【図１０】第２実施形態における区分エリアの設定及び走行車を混雑用走行モードにて走行させる領域を示す模式図
【図１１】第２実施形態における無線タグ混雑時における走行制御モードの設定を表すフローチャート
【図１２】第２実施形態における無線タグ混雑時における走行制御モードの設定を表すフローチャート
【発明を実施するための形態】
【００２５】
〔第１実施形態〕
以下、本発明の第１実施形態を図面に基づいて説明する。
図１に示すように、物品搬送設備には、走行経路Ｌの側脇に設けられた物品移載箇所としての複数のステーションＳ、複数のステーションＳに亘る走行経路Ｌに沿って床面上を走行自在な物品搬送台車１とが設けられている。そして、物品搬送台車１が走行経路Ｌに沿って自律走行して複数のステーションＳ間で物品（パレット及びこれに載置支持された荷）を搬送するようになっている。
また、物品搬送設備では、外部から進入した作業者２が床面上を歩行しているとともに、搭乗した運転者の操縦によりフォークリフト３が床面上を自由に走行している。
なお、図１では、走行経路Ｌを実線で図示しているが、これは物品搬送台車１が走行すべき仮想的な走行経路を示しているのであって物品搬送台車１を案内するレールは設置されていない。
【００２６】
図２に示すように、物品搬送台車１には、駆動用走行車輪（図示せず）を回転駆動させる走行用モータ５と、従動用走行車輪（図示せず）を縦軸心周りに回転させて従動用走行車輪の向きを変更させる操向用モータ６と、が設けられている。物品搬送台車１は、走行用モータ５にて駆動用走行車輪を回転駆動させて走行し、操向用モータ６にて従動用走行車輪の向きを変更させて走行方向を変更するように構成されている。
尚、走行用モータ５と操向用モータ６とで走行駆動部７が構成されており、物品搬送台車１は、走行駆動部７の作動により走行経路Ｌに沿って走行自在に構成されている。
【００２７】
図３に示すように、物品搬送設備には、走行経路Ｌの側方に位置する壁部などを利用して走行経路Ｌに対応するように複数の反射板９が配設されており、物品搬送台車１の上部には、レーザー光を水平面内に走査して、反射板９にて反射される反射光を受光する投受光部１０が設けられている。
また、物品搬送台車１には、駆動用走行車輪の回転に伴ってパルス信号を出力するロータリーエンコーダ等の走行距離検出用の距離検出部１１、及び、物品搬送台車１の向きを検出するレートジャイロ等の方位検出部１２が備えられている。
尚、投受光部１０と距離検出部１１と方位検出部１２とで、物品搬送台車１の走行位置を検出する走行位置検出部１３が構成されており、この走行位置検出部１３は、物品搬送台車１に備えられている。
【００２８】
図２に示すように、物品搬送台車１には、走行駆動部７の作動を制御する走行制御部としての台車側コントローラＨ１が設けられている。台車側コントローラＨ１は、走行位置検出部１３にて検出された走行位置情報と走行制御部としての地上側コントローラＨ２からの走行指令情報とに基づいて、物品搬送台車１を走行経路Ｌに沿って目標走行位置に向けて目標走行速度で走行させるべく、走行駆動部７の作動を制御するように構成されている。
つまり、台車側コントローラＨ１は、投受光部１０にて受光する反射光の走査角情報及び複数の反射板９の位置情報に基づいて物品搬送台車１の現在位置を確認しながら、その現在位置情報、距離検出部１１の検出情報、及び、方位検出部１２の検出情報に基づいて、地上側コントローラＨ２から指令される走行指令にて指定されたステーションＳに対応する目標走行位置に物品搬送台車１を走行経路Ｌに沿って目標走行速度で走行させるべく、走行用モータ５及び操向用モータ６の作動を制御するように構成されている。
走行経路Ｌは、上述の通り物品搬送台車１が走行すべき仮想の経路である。走行経路Ｌの経路情報がマップデータとして台車側コントローラＨ１に記憶されており、台車側コントローラＨ１は、走行指令が指令されると走行経路Ｌに沿ったルートの設定を行う。
【００２９】
図４に示すように、台車側コントローラＨ１には、通常走行速度として、物品搬送台車１が走行経路Ｌにおける直線状の経路部分を走行するときの高速走行速度と、物品搬送台車１が走行経路Ｌにおける曲線状の経路部分を走行するときの中速走行速度と、クリープ走行速度とが設定されている。また、高速走行速度や中速走行速度として、低負荷で走行するときの走行速度と高負荷で走行するときの走行速度とが設定されている。
ちなみに、本実施形態では、低負荷時の高速走行速度は２００ｍ／ｍｉｎ、高負荷時の高速走行速度は１６０ｍ／ｍｉｎ、低負荷時の中速走行速度は６０ｍ／ｍｉｎ、高負荷時の中速走行速度は４０ｍ／ｍｉｎ、クリープ走行速度は５ｍ／ｍｉｎに設定されており、低負荷時の高速走行速度、高負荷時の高速走行速度、低負荷時の中速走行速度、高負荷時の中速走行速度、クリープ走行速度の順に低速になるように設定されている。
尚、低負荷で走行するときとは、物品を支持していない空荷状態で走行するときであり、高負荷で走行するときとは、物品を支持している実荷状態で走行するときである。
【００３０】
そして、図４に示すように、台車側コントローラＨ１は、走行経路Ｌに沿って物品搬送台車１を走行させるときに、直線状の経路部分を走行させるときは目標走行速度を高速走行速度として物品搬送台車１を走行させ、曲線状の経路部分を走行させるときは目標走行速度を中速走行速度として物品搬送台車１を走行させ、クリープ走行速度まで減速させた後に目標停止位置に停止させるべく、走行駆動部７の作動を制御するように構成されている。
図４では、物品搬送台車１が、低負荷において、直線状の経路部分、曲線状の経路部分、直線状の経路部分の順で走行する場合の目標走行速度を示している。
【００３１】
また、図２に示すように、物品搬送台車１には、当該物品搬送台車１の走行方向前方側における干渉物の存在を検出する存否検出部としての干渉物センサ１５と、干渉物センサ１５の検出情報に基づいて走行駆動部７の作動を制御する補助走行制御部としてのセンサ制御部１６と、物品搬送台車１のバンパに干渉物が接触したことを検出するバンパセンサ２６と、走行駆動部７（走行用モータ５及び操向用モータ６）に対して電力を供給する電源１７（バッテリー）と、その電源１７から走行駆動部７への電力の供給を遮断自在な電力遮断部１８とが設けられている。
ちなみに、干渉物センサ１５及びバンパセンサ２６が検出する干渉物とは、作業者２、フォークリフト３及び床面上に載置された物品等の物品搬送台車１と干渉する虞のあるものである。
【００３２】
センサ制御部１６は、干渉物センサ１５に内装されており、干渉物センサ１５にて干渉物の存否が検出されると、その干渉物センサ１５の検出情報に基づいて物品搬送台車１から干渉物までの距離を判別するように構成されている。
また、走行経路Ｌの横側方に、壁が設置されている場合や、走行経路Ｌを走行する物品搬送台車１と干渉しないように床面上に物品保管棚が設置されている場合や、物品が床面上に直接置かれる場合があるが、このような壁や棚等の床面上に設置されている干渉物又は床に直接載置される物品のように床面上に存在が予定される干渉物の位置は、レイアウトマップとしてセンサ制御部１６に予め記憶されている。そして、センサ制御部１６は、予め位置が記憶されている干渉物を干渉物センサ１５にて検出されたとしてもその検出情報はキャンセルして干渉物が存在していると判別しないようになっている。
【００３３】
そして、センサ制御部１６は、目標走行速度が通常走行速度に設定されている状態で、干渉物センサ１５にて干渉物の存在が検出されると、その検出情報に基づく物品搬送台車１から干渉物までの距離により、台車側コントローラＨ１にて設定される目標走行速度の上限速度を制限して減速させる、又は、走行駆動部７に対する電力の供給を電力遮断部１８により遮断して物品搬送台車１を減速させて非常停止させるようになっている。
【００３４】
説明を加えると、図５に示すように、センサ制御部１６には、減速用距離として、遠距離（２０ｍ）、遠距離より短い中距離（８ｍ）、中距離より短い短距離（２ｍ）が予め設定されている。
そして、低速用領域として、上記夫々の減速用距離を半径とし、物品搬送台車１の位置を中心として物品搬送台車１の前方に広がる半円形状の領域、すなわち、遠距離を半径とする半円形状の領域（Ａ１エリア）と、中距離を半径とする半円形状の領域（Ａ２エリア）と、短距離を半径とする半円形状の領域（Ａ３エリア）とが予め設定されている。
センサ制御部１６は、干渉物がＡ１エリアに進入しており、物品搬送台車１から干渉物までの距離が遠距離以下で且つ中距離を超えていると、遠距離接近情報を台車側コントローラＨ１に送信するように構成されている。
また、センサ制御部１６は、干渉物がＡ２エリアに進入しており、物品搬送台車１から干渉物までの距離が中距離以下で且つ短距離を越えていると、中距離接近情報を台車側コントローラＨ１に送信するように構成されている。
また、センサ制御部１６は、干渉物がＡ３エリアに進入しており、物品搬送台車１から干渉物までの距離が近距離以下になると、電力遮断部１８にて走行駆動部７に対する電力を遮断して物品搬送台車１を非常停止させるべく、電力遮断部１８の作動を制御するように構成されている。
【００３５】
図６及び図７に示すように、台車側コントローラＨ１には、減速走行速度として、高速走行速度より低速で且つ中速走行速度と同じ速度である第１上限速度（６０ｍ／ｍｉｎ）と、中速走行速度より低速である第２上限速度（３０ｍ／ｍｉｎ）とが設定されている。
そして、台車側コントローラＨ１は、センサ制御部１６から遠距離接近情報を受信した場合は、目標走行速度の上限速度を第１上限速度とし、センサ制御部１６から中距離接近情報を受信した場合は、目標走行速度の上限を第２上限速度とするように構成されている。
【００３６】
そのため、例えば、図６に示すように、物品搬送台車１が高速走行速度（低負荷）で走行しているときに、目標走行速度の上限速度が第１上限速度や第２上限速度に制限されると、物品搬送台車１の目標走行速度は上限速度の第１上限速度や第２上限速度に設定変更される。
【００３７】
また、例えば、図７に示すように、物品搬送台車１が中速走行速度（高負荷）で走行しているときに、目標走行速度の上限速度が第１上限速度に制限されても、物品搬送台車１の目標走行速度は中距離走行速度から設定変更されず、目標走行速度の上限速度が第２上限速度に制限されると、物品搬送台車１の目標走行速度は上限速度の第２上限速度に設定変更される。
【００３８】
バンパセンサ２６は、物品搬送台車１のバンパに内装されており、テープスイッチにて構成されている。そして、バンパセンサ２６にてバンパに干渉物が接触したことが検出されるに伴って、電力遮断部１８が走行駆動部７に対する電力を遮断するように構成されている。
【００３９】
物品搬送設備の地上側には、物品搬送台車１に走行指令を指令する地上側コントローラＨ２が設けられており、台車側コントローラＨ１及び地上側コントローラＨ２には、互いに各種情報を送受信するための送受信装置１４が設けられている。尚、地上側に設けられているとは、物品搬送台車１に設けるのではなく、物品搬送設備の床面や天井、又は、物品搬送設備に設置されている物品収納棚等に設けることである。
そして、地上側コントローラＨ２は、物品を搬送する搬送元のステーションＳや搬送先のステーションＳを指定する走行指令を台車側コントローラＨ１に送信するように構成されている。台車側コントローラＨ１は、走行位置情報と走行指令情報とに基づいて走行駆動部７の作動を制御し、物品搬送台車１の走行位置情報を地上側コントローラＨ２に送信するように構成されている。
【００４０】
また、物品搬送設備の地上側には、走行経路Ｌが設定された領域を含む計測対象領域Ｅに存在する干渉物の位置を検出する位置検出部１９、及び、位置検出部１９からの干渉物の位置情報と物品搬送台車１の走行位置情報とに基づいて、物品搬送台車１から干渉物までの距離が低速用距離以下になると、物品搬送台車１に減速指令を指令する外部管理部としての外部管理サーバＨ３が設けられている。
【００４１】
上記に加えて、物品搬送設備には、位置計測部として、計測対象領域Ｅ内での物品搬送台車１の位置及び計測対象領域Ｅ内で移動可能な複数の干渉物の位置を計測する無線式位置計測システム２１を備えている。
【００４２】
図１及び図２に示すように、無線式位置計測システム２１は、物品搬送台車１や作業者２、フォークリフト３に装備され、位置計測用の無線信号である測位用無線信号を出力自在な無線タグ２２と、計測対象領域Ｅに存在する無線タグ２２から測位用無線信号を受信自在に構成された複数の親機２３と、親機２３の受信情報に基づいて無線タグ２２の位置を算出する位置計測処理を実行するタグ位置計測装置２４とを備えて構成されている。なお、この無線式位置計測システム２１では、無線タグ２２は、親機２３に対してＵＷＢ方式の無線通信により位置計測用の情報を送信自在に構成されている。
また、無線式位置計測システム２１は、位置測定機能により検出した無線タグ２２の位置を、当該無線タグ２２を装備した干渉物の位置とするように構成されている。
【００４３】
図１に示すように、親機２３は、計測対象領域Ｅに８個設けられている。本実施形態では、計測対象領域Ｅは、領域の一部が重複する状態で隣り合う２つのエリアにて構成されている。具体的には、親機２３１〜２３４で囲まれた領域である第１区分エリアＥ１と、親機２３５〜２３８で囲まれた領域である第２区分エリアＥ２とが領域の一部が重複する状態で設定されている。
【００４４】
タグ位置計測装置２４は、第１区分エリアＥ１及び第２区分エリアＥ２の夫々を形成する４台の親機２３のうち少なくとも２台の親機２３が受信する無線信号に基づいて、無線タグ２２の位置を算出する。すなわち、親機２３１〜２３４のうち無線タグと通信接続状態である親機２３が受信した無線信号に基づいて第１区分エリアＥ１における無線タグ２２の位置を計測し、同様に、親機２３５〜２３８のうち無線タグ２２と通信接続状態である親機２３が受信した無線信号に基づいて第２区分エリアＥ２における無線タグ２２の位置を計測する。
【００４５】
無線式位置計測システム２１が検出する干渉物とは、無線タグ２２を装備した作業者２やフォークリフト３であり、無線式位置計測システム２１は、検出した干渉物の位置情報を外部管理サーバＨ３に送信するように構成されている。ちなみに、物品等の無線タグ２２が装備されていないものについては干渉物として検出されない。
そして、無線タグ２２から送信される情報には、無線タグ２２が装備されたものの属性情報が送信されており、無線式位置計測システム２１は、無線タグ２２の情報から無線タグ２２が装備されている干渉物の属性（作業者２やフォークリフト３）を判別できるように構成されている。
【００４６】
すなわち、計測対象領域Ｅ内を走行移動自在な物品搬送台車１と、物品搬送台車１の走行を制御する台車側コントローラＨ１と、計測対象領域Ｅ内での物品搬送台車１の位置及び計測対象領域Ｅ内における複数の干渉物（作業者２、又は、フォークリフト３）の位置を計測する無線式位置計測システム２１と、が設けられている。
【００４７】
作業者２及びフォークリフト３の夫々には、各別に無線タグ２２が装備されている。
本実施形態では、無線式位置計測システム２１が、計測対象領域Ｅに存在する無線タグ２２の総数及び計測対象領域Ｅに存在する無線タグ２２ごとの識別情報を管理している（識別情報を管理する管理部は、親機２３に備えてもタグ位置計測装置２４に備えてもよい）。無線式位置計測システム２１は、計測対象領域Ｅの第１区分エリアＥ１及び第２区分エリアＥ２の夫々に存在する無線タグ２２の夫々に対しての位置の問合せを行うためのポーリング用無線信号を、複数の親機２３から一斉に送信する形態で、所定のポーリング順序で無線タグ２２ごとに順次位置の問合せを行う。具体的には、ポーリング用無線信号は、４個の親機２３（すなわち、第１区分エリアＥ１については親機２３１〜２３４、第２区分エリアＥ２については親機２３５〜２３８）から一斉に送信される。ポーリング用無線信号を受信した無線タグ２２は、応答として測位用無線信号を送信する。この測位用無線信号を４個の親機２３（すなわち、第１区分エリアＥ１については親機２３１〜２３４、第２区分エリアＥ２については親機２３５〜２３８）のうちの複数の親機２３にて受信し、タグ位置計測装置２４が、ＴＤＯＡやＴＯＡ等の既知の測位方式を用いて無線タグ２２の位置を算出するのである。なお、タグ位置計測装置２４が、ＴＤＯＡやＴＯＡ等の既知の測位方式を用いて無線タグ２２の位置を算出するためには、設定処理時間（例えば数十ミリ秒）を要する。
すなわち、受信装置は、同時に１つの無線タグ２２からの測位用無線信号のみを受信可能に構成され、タグ位置計測装置２４は、１つの無線タグ２２の位置を算出するために設定処理時間を要する形態で無線タグ２２の第１区分エリアＥ１又は第２区分エリアＥ２における位置を算出するように構成されている。
【００４８】
無線式位置計測システム２１は、第１区分エリアＥ１内又は第２区分エリアＥ２内に存在する全ての無線タグ２２について、上記ポーリング順序に従って順次無線タグ２２の位置を算出し、算出した無線タグ２２の位置に基づいて、物品搬送台車１、作業者２、又はフォークリフト３の位置を計測する位置計測処理を実行するように構成されている。
このため、第１区分エリアＥ１に存在する全ての無線タグ２２、又は、第２区分エリアＥ２内に存在する全ての無線タグ２２について位置計測処理を実行するためには、設定処理時間と各区分エリアに存在する無線タグ２２の個数との積として算出されるトータルの処理時間（計測サイクル時間）が少なくとも必要となる。したがって、各区分エリアに存在する無線タグ２２の個数が多いほど、トータルの処理時間が長くなり、一の無線タグ２２に注目すると、前回の位置算出が実行されてからその次の位置算出が実行されるまでの時間間隔が長くなる。
【００４９】
外部管理サーバＨ３は、干渉物が物品搬送台車１の走行方向前方側に位置するときの減速用距離と干渉物が物品搬送台車１の後方側に位置するときの減速用距離とを異なった距離に設定自在に構成されている。
そして、本実施形態では、図５に示すように、外部管理サーバＨ３には、干渉物が物品搬送台車１の走行方向前方側に位置するときの低速用距離として、遠隔距離（２５ｍ。図５において符号Ｄ１で示す。）と、この遠隔距離より短い近傍距離（１５ｍ。図５において符号Ｄ２で示す。）とが設定されている。干渉物が物品搬送台車１の後方側に位置するときの減速用距離として０ｍが設定されている。このように、干渉物が物品搬送台車１の後方側に位置するときの減速用距離を干渉物が物品搬送台車１の走行方向前方側に位置するときの減速用距離より短い距離に設定自在に構成されている。
ちなみに、遠隔距離は、遠距離より長く設定されており、低速用近傍距離は遠距離より短く且つ中距離より長く設定されている。
【００５０】
そして、外部管理サーバＨ３は、監視カメラ２０や無線式位置計測システム２１から送信された干渉物の位置情報と地上側コントローラＨ２からの物品搬送台車１の走行位置情報とに基づいて、干渉物がＤ１エリアに進入しており、物品搬送台車１から干渉物までの距離が遠隔離以下で且つ近傍距離を超えていると、遠隔接近情報を地上側コントローラＨ２に送信し、干渉物がＤ２エリアに進入しており、物品搬送台車１から干渉物までの距離が近傍距離以下となると、近傍接近情報を地上側コントローラＨ２に送信するように構成されている。
地上側コントローラＨ２は、外部管理サーバＨ３から遠隔接近情報や近傍接近情報を受信すると、これら遠隔接近情報や近傍接近情報を台車側コントローラＨ１に送信するように構成されている。
【００５１】
そして、台車側コントローラＨ１は、センサ制御部１６から遠隔接近情報を受信した場合は、目標走行速度の上限速度を第１上限速度とし、センサ制御部１６から近傍接近情報を受信した場合は、目標走行速度の上限を第２上限速度とするように構成されている。
【００５２】
台車側コントローラＨ１には、センサ制御部１６から長距離接近情報や中距離接近情報、及び、外部管理サーバＨ３から遠隔接近情報及び近傍接近情報が送信される。
そして、物品搬送台車１が高速走行速度（低負荷）で走行しているときに、物品搬送台車１が干渉物に向けて走行し、干渉物がＤ１エリア、Ａ１エリア、Ｄ２エリア、Ａ２エリアの順に進入してきた場合は、次のように上限速度が設定変更される。
つまり、図９に示すように、干渉物がＤ１エリアに進入して地上側コントローラＨ２から遠隔接近情報が送信されると、目標走行速度の上限速度を第１上限速度に設定変更し、干渉物がＡ１エリアに進入してセンサ制御部１６から遠距離接近情報が送信されると、目標走行速度の上限速度を第１上限速度に維持する。また、干渉物がＤ２エリアに進入して地上側コントローラＨ２から近傍接近情報が送信されると、目標走行速度の上限速度を第２上限速度に設定変更し、干渉物がＡ２エリアに進入してセンサ制御部１６から近距離接近情報が送信されると、目標走行速度の上限速度を第２上限速度に維持する。
ちなみに、その後、干渉物がエリアＡ３まで進入すると、センサ制御部１６により電力遮断部１８の作動が制御されて走行駆動部７に対する電力が遮断され、物品搬送台車１は非常停止するようになっている。
【００５３】
このように、台車側コントローラＨ１には、センサ制御部１６から長距離接近情報や中距離接近情報、及び、外部管理サーバＨ３から遠隔接近情報及び近傍接近情報が送信されるが、長距離接近情報と中距離接近情報とでは後に受信した接近情報に基づいて目標走行速度を制限し、遠隔接近情報と近傍接近情報とでも後に受信した接近情報に基づいて目標走行速度を制限するように構成されている。そして、センサ制御部１６からの接近情報と外部管理サーバＨ３からの接近情報とでは、上限速度が小さくなる接近情報を優先して目標走行速度を制限するように構成されている。
【００５４】
また、台車側コントローラＨ１は、無線式位置計測システム２１の計測情報に基づいて、第１区分エリアＥ１及び第２区分エリアＥ２の夫々について、各区分エリア内に存在する無線タグ２２の個数が設定上限個数Ｔｍａｘを超過している混雑状態であるか否かを各別に判別自在に構成されている。設定上限個数Ｔｍａｘは、上記各区分エリアに存在する無線タグ２２夫々についての位置算出を、無線式位置計測システム２１が管理している無線タグ２２の位置と実際の無線タグ２２の位置との間に生じるずれが、通常走行モードでの走行速度において物品搬送台車１と干渉物との干渉が回避可能な程度の距離となるような時間間隔で実行できる無線タグ２２の個数に設定されている。
【００５５】
台車側コントローラＨ１は、複数の走行モードのいずれかの走行モードにより物品搬送台車１の走行を制御するように構成されている。具体的には、物品搬送台車１を混雑状態でないと判別した区分エリアにおいて走行させる場合には走行モードとして通常走行モードを設定し、物品搬送台車１を混雑状態であると判別した区分エリアにおいて走行させる場合には走行モードとして混雑領域用走行モードを設定するように構成されている。
ここで、通常走行モードとは、物品搬送台車１を通常走行速度（高速走行速度、中速走行速度、又はクリープ走行速度）で走行させるように制御する走行モードである。また、台車側コントローラＨ１は、第１区分エリアＥ１又は第２区分エリアＥ２のうち混雑状態であるエリアに対しては、台車側コントローラＨ１にて設定される目標走行速度の上限速度を、上記通常走行速度におけるクリープ走行速度以外の何れの速度よりも遅い速度である第２上限速度（３０ｍ／ｍｉｎ）に制限して減速させる混雑領域用走行モードを設定する。
【００５６】
すなわち、台車側コントローラＨ１が、混雑領域用走行モードとして、物品搬送台車１の上限走行速度を、通常走行モードにおける上限走行速度としての通常走行速度（高速走行速度、中速走行速度）よりも遅い混雑用上限走行速度として、第２上限速度に設定するように構成されている。
【００５７】
次に、図９のフローチャートに基づいて、台車側コントローラＨ１が実行する処理を説明する。なお、以下のフローチャートでは、区分エリアが２エリア以上である場合でも適用できるように、区分エリア数を一般化してＮｍａｘエリア存在するとして説明する。
台車側コントローラＨ１は、無線式位置計測システム２１の計測情報を取得し（ステップ＃１０１）、引き続き、第ｎ区分エリア内に存在する無線タグ数Ｔｎを計数する処理を、区分エリアの存在数（Ｎｍａｘ）分繰り返す（ステップ＃１０２〜＃１０５）。
ステップ＃１０３において、全ての区分エリアについて、その区分エリア内に存在する無線タグ数Ｔｎの計数が完了すると、続いて、台車側コントローラＨ１は、無線タグ数Ｔｎが設定上限個数Ｔｍａｘを超過しているか否かを判別し（ステップ＃１０７）、超過していればその区分エリアを混雑領域に設定し（ステップ＃１０８）、超過していなければ、その区分領域を非混雑領域に設定する（ステップ＃１０９）処理を、区分エリアの存在数（Ｎｍａｘ）分繰り返す（ステップ＃１０６〜＃１１１）。
【００５８】
このようにして、複数の区分エリア夫々は、その区分エリア内に存在する無線タグ２２の数量に応じて混雑領域か非混雑領域の何れかに設定されることになり、台車側コントローラＨ１は、混雑領域に設定された区分エリアについては、物品搬送台車１がその区分エリアを走行しようとするとき、又は、物品搬送台車１がその区分エリアにすでに存在しているときのいずれの場合であっても、物品搬送台車１を低速で走行させるように走行モードを切換えることになる。したがって、物品搬送台車１がこれから走行しようとする区分エリア、又は、物品搬送台車１が存在する区分エリアが混雑状態であっても、干渉物と物品搬送台車１との干渉を回避することができるようになっている。
【００５９】
〔第２実施形態〕
次に、本発明の第２実施形態を説明するが、この第２実施形態は、第１実施形態において、区分エリアの設定形態と台車側コントローラＨ１が実行する処理とが異なるのみであるため、異なる部分のみを説明して重複する部分については説明を省略する。
本第２実施形態においては、図１０に示すように、計測対象領域Ｅを第１区分エリアＥ１〜第１２区分エリアＥ１２に分割している（なお、本実施形態では区分エリアの分割数を１２エリアとしているが、区分エリアの分割数は１２エリアに限定されるものではなく、任意である）。また、区分エリアの分割数を変更するには、親機２３の配置数及び設置箇所を適切に設定する必要がある。すなわち、各区分エリアに対して４つの親機２３を対応付ける形態で、隣接する区分エリアの一部が重複するように親機２３を配置する。
【００６０】
第２実施形態では、台車側コントローラＨ１は、走行車を走行させる区分領域が混雑状態でないと判別された区分領域であっても、その区分領域が、混雑状態であると判別された区分領域に隣接する場合には、走行モードとして混雑領域用走行モードを設定するようになっている。
【００６１】
図１０の模式図を例に説明する。図１０にて濃い網がけで示す第２区分エリアＥ２が混雑状態となっていると仮定する。このとき、第２区分エリアＥ２に隣接する区分エリアである第１区分エリアＥ１、第３区分エリアＥ３、第５区分エリアＥ５〜第７区分エリアＥ７（図１０にて薄い網がけで示す）については、混雑状態である第２区分エリアＥ２から干渉物が移動してくる可能性がある。したがって、ある時点では第１区分エリアＥ１、第３区分エリアＥ３、第５区分エリアＥ５〜第７区分エリアＥ７は混雑状態でなかったとしても、第２区分エリアＥ２からの干渉物が移動によって、第１区分エリアＥ１、第３区分エリアＥ３、第５区分エリアＥ５〜第７区分エリアＥ７が混雑状態に遷移する虞がある。
そこで、混雑状態である第２区分エリアに隣接する第１区分エリアＥ１、第３区分エリアＥ３、第５区分エリアＥ５〜第７区分エリアＥ７については、台車側コントローラＨ１は、走行モードとして混雑領域用走行モードを設定するのである。
【００６２】
続いて、図１１のフローチャートに基づいて、台車側コントローラＨ１が実行する処理を説明する。
台車側コントローラＨ１は、無線式位置計測システム２１の計測情報を取得し（ステップ＃２０１）、引き続き、第ｎ区分エリア内に存在する無線タグ数Ｔｎを計数する処理を、区分エリアの存在数（Ｎｍａｘ）分繰り返す（ステップ＃２０２〜＃２０５）。
ステップ＃２０３において、全ての区分エリアについて、その区分エリア内に存在する無線タグ数Ｔｎの計数が完了すると、続いて、台車側コントローラＨ１は、無線タグ数Ｔｎが設定上限個数Ｔｍａｘを超過しているか否かを判別し（ステップ＃２０７）、超過していればその区分エリアを混雑領域に設定し（ステップ＃２０８）、超過していなければ、その区分領域を非混雑領域に設定する（ステップ＃２０９）処理を、区分エリアの存在数（Ｎｍａｘ）分繰り返す（ステップ＃２０６〜＃２１１）。
【００６３】
続いて、台車側コントローラＨ１は、第ｎ区分エリアが、ステップ＃２０８にて混雑領域に設定された区分エリアに隣接するか否かを判別して、混雑領域に設定された区分エリアに隣接すると判別すると、その区分エリアを混雑予備領域に設定変更する（ステップ＃２１３、＃２１４）。また、ステップ＃２１３にて、第ｎ区分エリアが混雑領域に設定された区分エリアに隣接する領域であると判別した場合には、その区分エリアは非混雑領域に設定したままとする。台車側コントローラＨ１は、上記ステップ２１３、＃２１４の処理を、区分エリアの存在数（Ｎｍａｘ）分繰り返す（ステップ＃２１２〜＃２１６）。
【００６４】
このようにして、複数の区分エリア夫々は、混雑領域、混雑予備領域、又は非混雑領域の何れかに設定されることになる。台車側コントローラＨ１は、混雑領域又は混雑予備領域に設定された区分エリアについては、物品搬送台車１がその区分エリアを走行しようとするとき、又は、物品搬送台車１がその区分エリアにすでに存在しているときのいずれの場合であっても、物品搬送台車１を低速で走行させるように走行モードを切換える。したがって、物品搬送台車１がこれから走行しようとする区分エリア、又は、物品搬送台車１が存在する区分エリアが混雑状態または混雑領域に隣接する混雑予備領域であっても、干渉物と物品搬送台車１との干渉を回避することができるようになっている。
すなわち、台車側コントローラＨ１が、混雑状態でないと判別しかつ混雑状態であると判別した区分エリアとの間で設定条件を満たしたと判別した区分エリアにおいて物品搬送台車１を走行させる場合には、走行モードとして混雑領域用走行モードを設定するように構成されている。
【００６５】
〔別実施形態〕
（１）上記実施形態では、混雑領域用走行モードとして、台車側コントローラＨ１にて設定される目標走行速度の上限速度を制限して減速させる走行モードを設定する例を示したが、このような構成に限定されるものではなく、例えば、混雑状態であると判別された区分エリアへの物品搬送台車１の進入を規制するように構成してもよい。この場合、例えば、図１に示すように、計測対象領域Ｅ内全体を循環する走行経路Ｌに対して、第１区分エリアＥ１内で循環すべく短絡するショートカット経路ＬＳ１と、第２区分エリアＥ２内で循環すべく短絡するショートカット経路ＬＳ２とを設定し、物品搬送台車１が第１区分エリアＥ１に存在するときに第２区分エリアＥ２への進入を規制されると、走行経路Ｌの第１区分エリアＥ１側部分とショートカット経路ＬＳ１とを循環する状態とし、物品搬送台車１が第２区分エリアＥ２に存在するときに第１区分エリアＥ１への進入を規制されると、走行経路Ｌの第２区分エリアＥ２側部分とショートカット経路ＬＳ２とを循環する状態とするように構成することができる。また、混雑状態であると判別された区分エリアへの物品搬送台車１の進入を規制する別の例として、ショートカット経路ＬＳ１又はＬＳ２を通過して循環する以外に、迂回経路を設定して物品搬送台車１を迂回させる等、物品搬送台車１の走行経路を混雑状態であると判別された区分エリア内を通過する経路以外の経路に変更設定するように構成することができる。
さらに、混雑状態であると判別された区分エリアへの物品搬送台車１の進入を規制する別の例として、台車側コントローラＨ１が、混雑状態であると判別された区分エリアに進入しようとする物品搬送台車１、又は、すでに混雑状態であると判別された区分エリアに存在する物品搬送台車１の走行を停止させるように構成してもよい。
【００６６】
（２）上記実施形態では、位置計測部を無線式位置計測システム２１にて構成したが、位置計測部は、物品搬送台車１の位置及び干渉物（作業者２及びフォークリフト３）の位置を計測できるものであればよく、例えば、カメラにて撮像した画像や動画に基づいて物品搬送台車１の位置及び干渉物（作業者２及びフォークリフト３）の位置を計測するものであってもよい。
【００６７】
（３）上記実施形態では、混雑領域用走行モードとして、台車側コントローラＨ１にて設定される目標走行速度の上限速度を第２上限速度に制限して減速させる構成を例示したが、目標走行速度の上限速度を第１上限速度、或いはそれ以外の速度に設定してもよい。
【００６８】
（４）上記実施形態では、無線式位置計測システム２１が、作業者２やフォークリフト３に装備された無線タグ２２の位置を計測する構成を例示したが、無線タグ２２を、搬送対象の物品Ｂの夫々に装備するものであってもよい。このような場合においても、各区分エリアにおける無線タグ２２の数量が多くなると、搬送中の物品Ｂの位置を適正に管理できなくなる等の不都合が生じるが、上記のように混雑状態と判別された区分エリアについては混雑領域用走行モードを設定することによって、走行車と干渉物との干渉を極力回避することが可能となる。
【００６９】
（５）上記実施形態では、区分エリア数を２つとして説明したが、区分エリア数は３つ又はそれ以上設定してもよい。また、上記実施形態では、台車側コントローラＨ１が物品搬送台車１の走行を制御する構成を例示したが、台車側コントローラＨ１が走行を制御する対象は、物品搬送台車１に限定されるものではなく、例えば、物品搬送以外の作業を行う作業車であってもよい。また、上記実施形態では、物品搬送台車１を、自律走行式の走行車としたが、これを作業者が搭乗して作業を行う有人の作業車としてもよい。
【００７０】
（６）上記第２実施形態では、混雑予備領域に設定変更する設定条件を、混雑状態であると判別した区分エリアに隣接するという条件に設定したが、このような構成に限定されるものではなく、例えば、ある区分エリアに存在する干渉物がその次に移動し得るような、物品搬送台車１の走行経路に沿う方向では隣接しない区分エリアを混雑予備領域とするように構成してもよい。具体的には、例えば、壁で区切られ、かつ、物品搬送台車１の走行経路に沿う方向では隣接しない区分エリアにおいて、壁に設けられたドア等の開口を通じて作業者２が当該区分エリア間を行き来自在に構成されている場合に、一方の区分エリアが混雑状態となると他方の区分エリアを混雑予備領域に設定するように構成することや、物品搬送台車１の走行経路が設定された計測対象領域Ｅが複数のフロアに存在し、作業者２が、階段や梯子等を通じて異なるフロアに存在する区分領域間を行き来自在に構成されている場合に、一方の区分エリアが混雑状態となると他方の区分エリアを混雑予備領域に設定するように構成することが考えられる。
【符号の説明】
【００７１】
１        走行車
２、３    干渉物
２１      位置計測部
２２      無線タグ
２３（２３１〜２３８）      無線受信装置
Ｅ        計測対象領域
Ｅ１、Ｅ２    区分領域
Ｈ１      走行制御部
Ｌ        走行経路
Ｔｍａｘ  設定上限個数
【図１】
2014211810.tif 000003
【図２】
2014211810.tif 000004
【図３】
2014211810.tif 000005
【図４】
2014211810.tif 000006
【図５】
2014211810.tif 000007
【図６】
2014211810.tif 000008
【図７】
2014211810.tif 000009
【図８】
2014211810.tif 000010
【図９】
2014211810.tif 000011
【図１０】
2014211810.tif 000012
【図１１】
2014211810.tif 000013
【図１２】
2014211810.tif 000014